(57)【要約】【課題】尿漏れに対応でき、パンツを着用した状態で簡単に装着して固定できる吸水性パッドを提供する。【解決手段】吸水性パッド１は、パンツの内面に接触する表面１１と、表面１１と反対側の裏面と、裏面の側から水分を吸収するパッド部２と、人の手先が挿入可能な袋部３を備える。さらに、吸水性パッド１は、表面１１に於いて、パンツに吸水性パッド１を装着した状態における上下方向に沿って貼付又は塗布された粘着剤４と、粘着剤４を覆うカバー部材５とを備える。袋部３は、表面１１の下端側または裏面の下端側のいずれかの少なくとも一方に設けられる。カバー部材５は、粘着剤４に沿って上下方向に延びて粘着剤４よりも長く形成され、少なくとも一方の長手方向端部８、９を含む一部に粘着剤４に接触しない部分５ａを有し、粘着剤４から剥離可能である。【選択図】図１
2020146262.tif 000002
【特許請求の範囲】
【請求項１】
パンツに装着して使用する吸水性パッドであって、
前記パンツの内面に接触する表面と、
前記表面と反対側の裏面と、
前記裏面側から水分を吸収するパッド部と、
人の手先が挿入可能な袋部と、
前記表面に於いて、前記パンツに前記吸水性パッドを装着した状態における上下方向に沿って貼付又は塗布された粘着剤と、
前記粘着剤を覆うカバー部材とを備え、
前記袋部は、前記表面の下端側または前記裏面の下端側のいずれかの少なくとも一方に備えられ、
前記カバー部材は、前記粘着剤に沿って前記上下方向に延びて前記粘着剤よりも長く形成され、少なくとも一方の長手方向端部を含む一部に前記粘着剤に接触しない部分を有し、前記粘着剤から剥離可能であることを特徴とする吸水性パッド。
【請求項２】
前記袋部は、前記表面の下端側に設けられ、
前記カバー部材は、
前記袋部の内部に挿入され、前記袋部の内部において折り返し部にて折り返され、前記折り返し部と前記長手方向端部との間は前記粘着剤に接触しない部分であり、
さらに、前記折り返し部と前記長手方向端部との間の一部が前記袋部から露出していることを特徴とする請求項１に記載の吸水性パッド。
【請求項３】
前記折り返し部は、前記袋部における底部に接していることを特徴とする請求項２に記載の吸水性パッド。
【請求項４】
前記袋部は、前記裏面の下端側に設けられたことを特徴とする請求項１に記載の吸水性パッド。
【請求項５】
前記カバー部材は、前記粘着剤が貼付又は塗布された長さの２倍以上の長さであることを特徴とする請求項１から４のいずれかに記載の吸水性パッド。
【発明の詳細な説明】
【技術分野】
【０００１】
本発明は、尿漏れに対応でき、パンツに簡単に装着して固定できる吸水性パッドに関する。
【背景技術】
【０００２】
従来、例えば特許文献１に記載された男性用下着及び吸水性パッドが提案されている。男性用下着は、前部に吸水性パッドを挿入する収容部が設けられ、収容部のうち皮膚に接触する側は水分を透過する水分透過素材から形成されている。吸水性パッドは、人が手先を挿入できる袋部が備えられ、収容部に吸水性パッドを容易に挿入することができる。
【先行技術文献】
【特許文献】
【０００３】
【特許文献１】特開２０１８−６６０７６号公報
【発明の概要】
【発明が解決しようとする課題】
【０００４】
しかし、特許文献１に記載の男性用下着は、吸水性パッドを挿入するために前部に収納部を設ける必要があり、専用品を使用する必要があった。また、パンツに吸水性パッドを使用すると、パンツに対して吸水性パッドがずれてしまうという問題があった。
【０００５】
本発明は、上記課題を解決するために成されたものであり、尿漏れに対応でき、パンツを着用した状態で簡単に装着して固定できる吸水性パッドを提供することを目的とする。
【課題を解決するための手段】
【０００６】
本発明の態様に係る吸水性パッドは、パンツに装着して使用する吸水性パッドであって、前記パンツの内面に接触する表面と、前記表面と反対側の裏面と、前記裏面側から水分を吸収するパッド部と、人の手先が挿入可能な袋部と、前記表面に於いて、前記パンツに前記吸水性パッドを装着した状態における上下方向に沿って貼付又は塗布された粘着剤と、前記粘着剤を覆うカバー部材とを備え、前記袋部は、前記表面の下端側または前記裏面の下端側のいずれかの少なくとも一方に備えられ、前記カバー部材は、前記粘着剤に沿って前記上下方向に延びて前記粘着剤よりも長く形成され、少なくとも一方の長手方向端部を含む一部に前記粘着剤に接触しない部分を有し、前記粘着剤から剥離可能であることを特徴とする。
【０００７】
これによれば、吸水性パッドは、表面の下端側または裏面の下端側のいずれかの少なくとも一方に人の手先を挿入可能な袋部を備えるので、パンツを着用した状態で、手先を袋部に入れてパンツの中に挿入しやすい。また、粘着剤が上下方向に沿って貼付又は塗布されているので、パンツに吸水性パッドを装着してもずれない。また、カバー部材は、粘着剤に沿って上下方向に延びて粘着剤よりも長く形成され、少なくとも一方の長手方向端部を含む一部に粘着剤に接触しない部分を有し、粘着剤から剥離可能である。よって、パンツを着用した状態で、カバー部材の一部をつまんで粘着剤から剥離できる。
【０００８】
また、吸水性パッドの前記袋部は、前記表面の下端側に設けられ、前記カバー部材は、前記袋部の内部に挿入され、前記袋部の内部において折り返し部にて折り返され、前記折り返し部と前記長手方向端部との間は前記粘着剤に接触しない部分であり、さらに、前記折り返し部と前記長手方向端部との間の一部が前記袋部から露出してもよい。この場合、カバー部材は、袋部の内部に挿入され、袋部の内部において折り返されているので、吸水性パッドをパンツの中に挿入するときにカバー部材が粘着剤から剥がれにくい。また、手先を表面の下端側に設けられた袋部に入れた状態、又は手先を袋部から抜いた状態でもカバー部材の一部をつまむことができるので、カバー部材をより容易に剥離できる。
【０００９】
また、吸水性パッドの前記折り返し部は、前記袋部における底部に接していてもよい。この場合、ユーザーは手先を袋部に挿入するときに、カバー部材の下端部が剥離することを気にしなくてもよいので、吸水性パッドをパンツの中にしっかり押し込むことができる。
【００１０】
また、吸水性パッドの前記袋部は、前記裏面の下端側に設けられてもよい。この場合、吸水性パッドは、カバー部材に触れること無く手先を袋部に挿入することができるので、パンツに装着する時に手先が誤ってカバー部材を剥がすことが無い。
【００１１】
また、吸水性パッドの前記カバー部材は、前記粘着剤が貼付又は塗布された長さの２倍以上の長さでもよい。この場合、カバー部材のうち粘着剤に接触しない部分がパンツの中を移動したとしても一部をつまみやすいので、カバー部材をより容易に剥離できる。
【図面の簡単な説明】
【００１２】
【図１】本発明の第１実施形態に係る吸水性パッド１ａを説明した平面図である。
【図２】本発明の第１実施形態に係る吸水性パッド１ａの断面図（図１のＡ−Ａ線切断面）である。
【図３】パンツ２５を着用した状態で、本発明の第１実施形態に係る吸水性パッド１ａをパンツ２５の内部に装着する状態を説明した断面図（図１のＡ−Ａ線切断面に相当）である。
【図４】本発明の第２実施形態に係る吸水性パッド１ｂの断面図（図１のＡ−Ａ線切断面に相当）である。
【図５】本発明の第３実施形態に係る吸水性パッド１ｃの断面図（図１のＡ−Ａ線切断面に相当）である。
【図６】本発明の第４実施形態に係る吸水性パッド１ｄを説明した平面図である。
【図７】本発明の第４実施形態に係る吸水性パッド１ｄの断面図（図６のＢ−Ｂ線切断面）である。
【図８】本発明の吸水性パッド１をパンツの前部内側に装着した説明図である。
【発明を実施するための形態】
【００１３】
以下、本発明の実施形態について図面を参照して説明する。参照する図面は、本発明が採用しうる技術的特徴を説明するために用いられるものである。図面に記載されている構成は、それのみに限定する趣旨ではなく、単なる説明例である。
【００１４】
＜吸水性パッド１の概略構成＞
本発明の実施形態に係る吸水性パッド１の概略構成について、図１から図８を参照して説明する。吸水性パッド１は、パンツ２５に装着して使用する（図８参照）。以下の説明では、図１及び図６に示すように、吸水性パッド１において、パンツ２５に装着した状態における方向である上方と下方を上下方向とし、右方、左方を吸水性パッド１の右方、左方と定義する。また、図２から図５、及び図７に示すように、左方、右方を、それぞれ表、裏と定義し、パンツ２５に接触する側を表面１１とし、反対側を裏面１２とする。
【００１５】
吸水性パッド１は、パンツ２５の内面に接触する表面１１と、表面１１と反対側の裏面１２と、裏面１２の側から水分を吸収するパッド部２と、人の手先２０が挿入可能な袋部３を備える。さらに、吸水性パッド１は、表面１１に於いて、パンツ２５に吸水性パッド１を装着した状態における上下方向に沿って貼付又は塗布された粘着剤４と、粘着剤４を覆うカバー部材５とを備える。袋部３は、表面１１の下端側または裏面１２の下端側のいずれかの少なくとも一方に設けられる。カバー部材５は、粘着剤４に沿って上下方向に延びて粘着剤４よりも長く形成され、少なくとも一方の長手方向端部８、９を含む一部に粘着剤４に接触しない部分５ａを有し、粘着剤４から剥離可能である。
【００１６】
＜吸水性パッド１の詳細構成＞  次に、本発明の実施形態に係る吸水性パッド１を詳細に説明する。実施形態は、後述するように第１実施形態から第４実施形態があるが、まず共通する部分を説明する。図１及び図６に示すように、パッド部２の表面１１に左右方向における中心線（Ａ−Ａ切断線、Ｂ−Ｂ切断線が対応）に沿って上下方向に粘着剤４が貼付又は塗布されている。粘着剤４は粘着テープが貼付されてもよいし、粘着剤４がパッド部２の表面１１に直接塗布されても良い。カバー部材５は、少なくとも粘着剤４を覆う部分において、左右方向の幅は粘着剤４の幅以上である。また、カバー部材５は、必ずしも粘着剤４と平行に延びる必要は無く、粘着剤４に接触しない部分５ａを含めて上下方向に向かって延びれば良い。
【００１７】
図２から図５、及び図７に示すように、パッド部２は、尿等の水分を吸収するパッドであり三層構造である。パッド部２は、吸水性を有する吸水性芯材１０が、表面１１である不透液性シート１１ａと裏面１２である透液性シート１２ａで覆われて形成されている。不透液性シート１１ａは、吸水性芯材１０に吸収された水分が表面１１の外側に漏れ出すのを防ぐ。透液性シート１２ａは、裏面１２から尿等の水分を透過して吸水性芯材１０に吸水させる。図１、図６に示すように、吸水性芯材１０の周縁の外側には両側縁部フラップ１３と、上側フラップ１４と、下側フラップ１５が形成され、吸水性芯材１０が不透液性シート１１ａと透液性シート１２ａとに挟まれて接合されている。袋部３は、表面１１の下端側又は裏面１２の下端側に人の手先２０が挿入される挿入口３ａを備え、両側縁部フラップ１３と下側フラップ１５に接合されている。
【００１８】
パッド部２は、表裏方向において一定の厚みを有する。パッド部２の一部である吸水性芯材１０の表裏方向の厚みは、一例として３ｍｍ、５ｍｍ、１０ｍｍ等である。表裏方向の厚みは、吸水性芯材１０の素材の材質と吸水量により、必要に応じた厚みを採用すればよい。なお、パッド部２は、必ずしも一定の厚みである必要は無く、部分的に厚みが異なっていても良い。
【００１９】
図１、図６に示すように、パッド部２は、下方に向かって左右方向の幅が狭くなる形状である。パッド部２の下端部は、図１に示すように半円形でもよいし、下端部が水平方向に直線状であって全体が逆台形状でも良い。これにより、吸水性パッド１はパンツ２５の内側の形状にフィットして装着できる（図８参照）。さらに、パッド部２は、逆三角形状でもよい。また、パッド部２は水溶性の材質で構成され、水洗トイレに流すことが可能でも良い。なお、パッド部２は三層構造について説明したがこれに限らない。例えば、パッド部２は吸水性芯材１０を含めた二層構造でも良いし、吸水性芯材１０のみの一層構造でも良いし、或いは四層以上の構造でも良い。パッド部２が吸水性芯材１０のみの一層構造の場合、吸水性芯材１０の表側の面が表面１１であり、裏側の面が裏面１２である。
【００２０】
＜吸水性パッド１の装着方法＞  次に、図３を参照して、パンツ２５を着用した状態で吸水性パッド１を着用する方法を説明する。吸水性パッド１は、パンツ２５を着用した状態で陰茎２１及び陰嚢２２とパンツ２５の前部との間に挿入される。表面１１は、パンツ２５の内面に接触する側であり、裏面１２は陰茎２１と接触する側であり、袋部３に手先２０を挿入した状態でパンツ２５に挿入される。吸水性パッド１が装着位置に達したら、カバー部材５の粘着剤４に接触していない部分５ａがつままれ、カバー部材５を粘着剤４から剥離しながら上側へ引き上げられる。カバー部材５が剥離されると粘着剤４が表面１１に露出するので、粘着剤４をパンツ２５の前面の内側に貼り付ける。図８に示すように、吸水性パッド１は、パンツ２５の内側に装着できる。
【００２１】
＜吸水性パッド１の共通の効果＞
以上説明したように、吸水性パッド１は種々の効果を奏する。図１から図７に示すように、吸水性パッド１は、表面１１の下端側または裏面１２の下端側のいずれか少なくとも一方に、人の手先２０を挿入可能な袋部３を備える。よって、吸水性パッド１は、パンツ２５を着用した状態で、手先２０を袋部３に入れてパンツ２５の中に挿入しやすい。また、粘着剤４が上下方向に沿って貼付又は塗布されているので、パンツ２５に吸水性パッド１を装着してもずれることが無い。また、カバー部材５は、粘着剤４に沿って上下方向に延びて粘着剤４よりも長く形成され、少なくとも一方の長手方向端部８、９を含む一部に粘着剤４に接触しない部分５ａを有し、粘着剤４から剥離可能である。よって、パンツ２５を着用した状態で、カバー部材５の一部をつまんで粘着剤４から剥離できる。
【００２２】
ユーザーが吸水性パッド１が装着されたパンツ２５を着用すると、陰茎２１に接触する裏面１２である透液性シート１２ａを通して尿等が吸水性芯材１０に吸水される。表面１１は不透液性シート１１ａなので、吸水性芯材１０に吸水された尿等はパンツ２５の内側へは浸透しない。また、パッド部２は下方に向かって左右方向の幅が狭くなる形状なのでパンツ２５の形状に沿うよう形成されており、ユーザーが吸水性パッド１をパンツ２５に装着して使用したときに違和感が無い。また、さらに、吸水性パッド１は、使用後にパンツ２５から取り外して廃棄することができる。
【００２３】
＜第１実施形態の構成と効果＞
次に、本発明の第１実施形態に係る吸水性パッド１ａの構成を説明する。吸水性パッド１ａは、後述する第２実施形態の吸水性パッド１ｂ、及び第３実施形態の吸水性パッド１ｃとはカバー部材５の構成が異なり、第４実施形態の吸水性パッド１ｄとは袋部３の構成が異なり、他の構成は共通である。なお、第２実施形態、第３実施形態、及び第４実施形態において、第１実施形態と同様の構成又は機能を有する要素は同様の符号を付し、説明を省略する場合がある。
【００２４】
図１及び図２を参照して、吸水性パッド１ａの構成を説明する。吸水性パッド１ａは、袋部３が表面１１の下端側に設けられ、カバー部材５が袋部３の内部６に挿入され、袋部３の内部６において折り返し部７にて折り返されている。カバー部材５のうち、折り返し部７と長手方向端部８との間は粘着剤４に接触しない部分５ａである。さらに、折り返し部７と長手方向端部８との間の一部が袋部３から露出している。よって、カバー部材５は、袋部３の内部６に挿入され、袋部３の内部６において折り返されているので、吸水性パッド１ａをパンツの中に挿入するときにカバー部材５が粘着剤４から剥がれにくい。また、手先２０を袋部３に入れた状態、又は手先２０を袋部３から抜いた状態でもカバー部材５の一部をつまむことができるので、カバー部材５をより容易に剥離できる。
【００２５】
また、図２及び図３に示すように、吸水性パッド１の折り返し部７は、袋部３における底部３ｂに接している。よって、ユーザーは手先２０を袋部３に挿入するときに、カバー部材５の下端部が剥離することを気にしなくてもよいので、吸水性パッド１をパンツ２５の中にしっかり押し込むことができる。ここで、袋部３における底部３ｂとは、袋部３の内側と表面１１である不透液性シート１１ａとが接触する部分の近傍である。カバー部材５は、底部３ｂにおいて、折り返し部７の近傍が袋部３の内側または表面１１である不透液性シート１１ａの少なくとも一方と接している。なお、ここで説明した折り返し部７と袋部３との関係は、図４に示すように、後述する第２実施形態の吸水性パッド１ｂも同様である。
【００２６】
また、吸水性パッド１ａのカバー部材５は、粘着剤４が貼付又は塗布された長さの２倍以上の長さである。よって、カバー部材５のうち粘着剤４に接触しない部分５ａがパンツ２５の中を移動したとしても一部をつまみやすいので、カバー部材５をさらにより容易に剥離できる。
【００２７】
＜第２実施形態の構成と効果＞
次に、図４を参照して、本発明の第２実施形態に係る吸水性パッド１ｂの構成を説明する。吸水性パッド１ｂのカバー部材５は、吸水性パッド１ａに対してカバー部材５の長さが異なる。カバー部材５は、粘着剤４が貼付又は塗布された長さの２倍未満であるが、粘着剤４に接触しない部分５ａのうち折り返し部７と長手方向端部８との間の一部が袋部３から露出している。図４では、長手方向端部８は袋部３から露出しているが、長手方向端部８が袋部３から露出していなくても、折り返し部７と長手方向端部８との間の一部が露出していればよい。
【００２８】
以上説明したように、吸水性パッド１ｂは、カバー部材５のうち粘着剤４に接触しない部分５ａのうち折り返し部７と長手方向端部８との間の一部が袋部３から露出している。よって、吸水性パッド１ｂは、装着の際に手先２０を袋部３から引き出した後でもカバー部材５をつまむことができる。吸水性パッド１ｂは、吸水性パッド１ａと同様の効果に加えて、カバー部材５の材料費を低減できるという効果を奏する。
【００２９】
＜第３実施形態の構成と効果＞
次に、図５を参照して、本発明の第３実施形態に係る吸水性パッド１ｃの構成を説明する。吸水性パッド１ｃは、吸水性パッド１ａ及び１ｂに比べて、カバー部材５のうち粘着剤４に接触しない部分５ａが、反対側である長手方向端部９を含む点が異なる。この構成によれば、吸水性パッド１ｃをパンツ２５に装着して手先２０を引き抜いた後でもカバー部材５の一部がパンツ２５から露出しているので、粘着剤４からカバー部材５を容易に剥離できる。
【００３０】
＜第４実施形態の構成と効果＞
次に、図６、７を参照して、本発明の第４実施形態に係る吸水性パッド１ｄの構成を説明する。吸水性パッド１ｄは、吸水性パッド１ａから１ｃとは異なり、袋部３が裏面１２の下端側に設けられている。この構成によれば、袋部３が裏面１２に設けられているので、吸水性パッド１ｄをパンツ内部に装着するときに人の手先２０が粘着剤４とカバー部材５に触れることがない。よって、吸水性パッド１ｄは、パンツ２５に装着する時に手先２０が誤ってカバー部材５を剥がすことが無い。
【００３１】
また、吸水性パッド１ｄは、表面１１には袋部３が設けられていないので、粘着剤４は、パッド部２の下端近くまで貼付又は塗布が可能である。よって、吸水性パッド１ｄはパンツ２５の内部との接触長さが長くなり、より強固に装着できる。図６に示す例では、粘着剤４及びカバー部材５の左右方向の幅は、吸水性パッド１ａから１ｃに比べて広い。吸水性パッド１ｄは、表面１１に袋部３が無く粘着剤４における左右方向の制約が少ないので、より粘着剤４の左右方向の幅を広くすることができ、面積を大きくすることができる。よって、吸水性パッド１ｄは、パンツ２５の内面に強固に装着できる。
【００３２】
なお、粘着剤４の左右方向の幅は、必要な粘着力と粘着剤４の材質等の関係から適宜設定が可能である。カバー部材５の長さは、吸水性パッド１ａから１ｃのように種々の構成が可能である。また、袋部３は裏面１２の下端側に設けられるので、透液性シート１２ａと同様に尿等の水分を透過する材質を使用することが望ましい。
【００３３】
＜変形例＞
なお、本発明は上記の実施形態に限定されるものではなく、種々の変更が可能である。上記の実施形態において、吸水性パッド１は主に男性用として使用する例について説明したが、女性用にも使用可能であることは勿論である。また、吸水性パッド１は、例としてパッド部２が下方に向かって左右方向の幅が狭くなる形状を説明したが、これに限らない。例えば、パッド部２が楕円形状、円形状、又は長方形状等の他の形状であってもよい。さらに、袋部３は、表面１１又は裏面１２のいずれか一方の下端側にのみ設けられる例を示したが、表面１１と裏面１２の双方の下端側に設けられても良い。
【００３４】
また、カバー部材５は長手方向の全長において一体で形成され、左右方向の幅が同一の例について説明したが、これに限らない。例えば、カバー部材５は、粘着剤４に接触する部分と粘着剤４に接触しない部分５ａとを別体として長手方向に接続しても良い。或いは、カバー部材５のうち粘着剤４に接触しない部分５ａにおける左右方向の幅は、粘着剤４に接触する部分より大きくしても良いし小さくしても良い。
【符号の説明】
【００３５】
１：吸水性パッド、２：パッド、３：袋部、３ｂ：底部、４：粘着剤、５：カバー部材、５ａ：粘着剤に接触しない部分、６：内部、７：折り返し部、８：端部、９：端部、１１：表面、１２：裏面
【図１】
2020146262.tif 000003
【図２】
2020146262.tif 000004
【図３】
2020146262.tif 000005
【図４】
2020146262.tif 000006
【図５】
2020146262.tif 000007
【図６】
2020146262.tif 000008
【図７】
2020146262.tif 000009
【図８】
2020146262.tif 000010
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
パンツに装着して使用する吸水性パッドであって、
前記パンツの内面に接触する表面と、
前記表面と反対側の裏面と、
前記裏面側から水分を吸収するパッド部と、
人の手先が挿入可能な袋部と、
前記表面に於いて、前記パンツに前記吸水性パッドを装着した状態における上下方向に沿って貼付又は塗布された粘着剤と、
前記粘着剤を覆うカバー部材とを備え、
前記袋部は、前記表面の下端側または前記裏面の下端側のいずれかの少なくとも一方に備えられ、
前記カバー部材は、前記粘着剤に沿って前記上下方向に延びて前記粘着剤よりも長く形成され、少なくとも一方の長手方向端部を含む一部に前記粘着剤に接触しない部分を有し、前記粘着剤から剥離可能であり、
前記袋部は、前記表面の下端側に設けられ、
前記カバー部材は、
前記袋部の内部に挿入され、前記袋部の内部において折り返し部にて折り返され、前記折り返し部と前記長手方向端部との間は前記粘着剤に接触しない部分であり、
さらに、前記折り返し部と前記長手方向端部との間の一部が前記袋部から露出していることを特徴とする吸水性パッド。
【請求項２】
前記折り返し部は、前記袋部における底部に接していることを特徴とする請求項１に記載の吸水性パッド。
【請求項３】
前記袋部は、前記裏面の下端側に設けられたことを特徴とする請求項１に記載の吸水性パッド。
【請求項４】
前記カバー部材は、前記粘着剤が貼付又は塗布された長さの２倍以上の長さであることを特徴とする請求項１から３のいずれかに記載の吸水性パッド。
【手続補正２】
【補正対象書類名】明細書
【補正対象項目名】０００６
【補正方法】変更
【補正の内容】
【０００６】
本発明の態様に係る吸水性パッドは、パンツに装着して使用する吸水性パッドであって、前記パンツの内面に接触する表面と、前記表面と反対側の裏面と、前記裏面側から水分を吸収するパッド部と、人の手先が挿入可能な袋部と、前記表面に於いて、前記パンツに前記吸水性パッドを装着した状態における上下方向に沿って貼付又は塗布された粘着剤と、前記粘着剤を覆うカバー部材とを備え、前記袋部は、前記表面の下端側または前記裏面の下端側のいずれかの少なくとも一方に備えられ、前記カバー部材は、前記粘着剤に沿って前記上下方向に延びて前記粘着剤よりも長く形成され、少なくとも一方の長手方向端部を含む一部に前記粘着剤に接触しない部分を有し、前記粘着剤から剥離可能であり、前記袋部は、前記表面の下端側に設けられ、前記カバー部材は、前記袋部の内部に挿入され、前記袋部の内部において折り返し部にて折り返され、前記折り返し部と前記長手方向端部との間は前記粘着剤に接触しない部分であり、さらに、前記折り返し部と前記長手方向端部との間の一部が前記袋部から露出していることを特徴とする。
【手続補正３】
【補正対象書類名】明細書
【補正対象項目名】０００７
【補正方法】変更
【補正の内容】
【０００７】
これによれば、吸水性パッドは、表面の下端側または裏面の下端側のいずれかの少なくとも一方に人の手先を挿入可能な袋部を備えるので、パンツを着用した状態で、手先を袋部に入れてパンツの中に挿入しやすい。また、粘着剤が上下方向に沿って貼付又は塗布されているので、パンツに吸水性パッドを装着してもずれない。また、カバー部材は、粘着剤に沿って上下方向に延びて粘着剤よりも長く形成され、少なくとも一方の長手方向端部を含む一部に粘着剤に接触しない部分を有し、粘着剤から剥離可能である。よって、パンツを着用した状態で、カバー部材の一部をつまんで粘着剤から剥離できる。また、カバー部材は、袋部の内部に挿入され、袋部の内部において折り返されているので、吸水性パッドをパンツの中に挿入するときにカバー部材が粘着剤から剥がれにくい。また、手先を表面の下端側に設けられた袋部に入れた状態、又は手先を袋部から抜いた状態でもカバー部材の一部をつまむことができるので、カバー部材をより容易に剥離できる。
【手続補正４】
【補正対象書類名】明細書
【補正対象項目名】０００８
【補正方法】削除
【補正の内容】